(57)【要約】【課題】ウェブ及びシート状物の搬送に悪影響を与えることなく、断裁されたシート状物のカッター胴への胴取られを防止することができるシーター装置を提供する。【解決手段】搬送されるウェブＷを固定刃１３と協働断裁して枚葉紙Ｓに形成するカッター胴１２と、断裁後の枚葉紙Ｓを搬送する下高速搬送ベルト１６と、下高速搬送ベルト１６を走行させる吸引ローラ４１の吸引口４１ｄから、枚葉紙Ｓにおけるカッター胴１２が対向する面とは反対側の面が当該吸引ローラ４１の外周面に密着するように、枚葉紙Ｓを吸引する吸引装置３６とを備える。【選択図】図１
2008264967.tif 000002
【特許請求の範囲】
【請求項１】
搬送されるウェブを断裁してシート状物に形成する断裁手段と、
前記断裁手段により断裁されるシート状物を搬送する搬送手段と、
前記搬送手段の近傍に設けられ、前記搬送手段により搬送されるシート状物が前記搬送手段の方向に移動するように当該シート状物を吸引する吸引手段とを備える
ことを特徴とするシーター装置。
【請求項２】
請求項１に記載のシーター装置において、
前記断裁手段は、搬送されるウェブを回転することにより断裁してシート状物に形成する断裁胴を有し、
前記吸引手段は、シート状物に対して、前記断裁胴が対向する面とは反対側の面を吸引する
ことを特徴とするシーター装置。
【請求項３】
請求項１に記載のシーター装置において、
前記搬送手段は、シート状物を搬送するベルトと、前記ベルトを走行させるローラとを有し、
前記吸引手段は、前記ローラの外周面に形成される吸引口からシート状物を吸引する
ことを特徴とするシーター装置。
【請求項４】
請求項１に記載のシーター装置において、
前記搬送手段は、シート状物を搬送するベルトであって、
前記吸引手段は、前記ベルトが摺接する摺接面に形成される吸引口から前記ベルトのベルト孔を介してシート状物を吸引する
ことを特徴とするシーター装置。
【発明の詳細な説明】
【技術分野】
【０００１】
本発明は、印刷後に乾燥冷却されたウェブを所定の長さごとの枚葉紙に断裁して揃えて積むシーター装置に関する。
【背景技術】
【０００２】
巻紙輪転印刷機には、印刷後に乾燥冷却されたウェブを、所定の長さごとの枚葉紙（シート状物）に断裁して揃えて積むシーター装置が設けられている。このようなシーター装置においては、回転するカッター胴（断裁胴）の切刃と固定刃との間で、搬送されたウェブを断裁して枚葉紙に形成した後、この枚葉紙を搬送ベルト等により、紙積台の上に配置される枠内に排紙するようにしている。
【０００３】
しかしながら、カッター胴の切刃や固定刃の切れ味が悪くなってくると、カッター胴の回転に伴って、その断裁位置となる枚葉紙の後端が切刃と共に巻き上がってしまう。また、カッター胴は搬送されるウェブを連続して断裁することから、その外周面や切刃には静電気が発生しやすくなっており、この静電気により枚葉紙の後端はカッター胴に貼り付いてしまう。このような、枚葉紙の後端における、カッター胴への巻き上がりや貼り付きは、胴取られと称されており、この胴取られが起こると、枚葉紙が撓んでしまい、紙尻が暴れて紙尻折れが発生するおそれがある。この結果、印刷品の品質低下に繋がるだけでなく、場合によっては、機械が損傷するおそれがある。
【０００４】
そこで、従来から、断裁時における枚葉紙のカッター胴への胴取られを防止したシーター装置が種々提供されている。このような従来のシーター装置は、例えば、特許文献１に開示されている。
【０００５】
【特許文献１】実公平７−１１９１１号公報
【発明の開示】
【発明が解決しようとする課題】
【０００６】
上記従来のシーター装置においては、回転するカッター胴の外周面から、その径方向外方に向けて空気を噴き出すようにしている。これにより、断裁した枚葉紙のカッター胴への胴取られを防止している。
【０００７】
しかしながら、このような構成では、断裁後において搬送される枚葉紙に対して、紙搬送方向上流側から空気を噴射することになるので、当該枚葉紙の後端下方に空気が侵入してしまう。この結果、紙尻をあおることになり、枚葉紙の搬送が不安定になってしまう。
【０００８】
また、回転するカッター胴から常に空気を噴射させているので、上述したように、断裁位置よりも紙搬送方向下流側に配置される断裁した枚葉紙に対しては、噴射した空気によって紙搬送方向下流側に押すことができるものの、断裁位置よりも紙搬送方向上流側に配置されるウェブに対しては、噴射した空気によって紙搬送方向上流側に押し戻すことになる。この結果、ウェブの搬送が不安定となり、場合によっては、その断裁位置にばらつきが発生してしまい、断裁した枚葉紙が所定の長さに形成されないおそれがある。
【０００９】
従って、本発明は上記課題を解決するものであり、ウェブ及びシート状物の搬送に悪影響を与えることなく、断裁されたシート状物のカッター胴への胴取られを防止することができるシーター装置を提供することを目的とする。
【課題を解決するための手段】
【００１０】
上記課題を解決する第１の発明に係るシーター装置は、
搬送されるウェブを断裁してシート状物に形成する断裁手段と、
前記断裁手段により断裁されるシート状物を搬送する搬送手段と、
前記搬送手段の近傍に設けられ、前記搬送手段により搬送されるシート状物が前記搬送手段の方向に移動するように当該シート状物を吸引する吸引手段とを備える
ことを特徴とする。
【００１１】
上記課題を解決する第２の発明に係るシーター装置は、
第１の発明に係るシーター装置において、
前記断裁手段は、搬送されるウェブを回転することにより断裁してシート状物に形成する断裁胴を有し、
前記吸引手段は、シート状物に対して、前記断裁胴が対向する面とは反対側の面を吸引する
ことを特徴とする。
【００１２】
上記課題を解決する第３の発明に係るシーター装置は、
第１の発明に係るシーター装置において、
前記搬送手段は、シート状物を搬送するベルトと、前記ベルトを走行させるローラとを有し、
前記吸引手段は、前記ローラの外周面に形成される吸引口からシート状物を吸引する
ことを特徴とする。
【００１３】
上記課題を解決する第４の発明に係るシーター装置は、
第１の発明に係るシーター装置において、
前記搬送手段は、シート状物を搬送するベルトであって、
前記吸引手段は、前記ベルトが摺接する摺接面に形成される吸引口から前記ベルトのベルト孔を介してシート状物を吸引する
ことを特徴とする。
【発明の効果】
【００１４】
本発明に係るシーター装置によれば、断裁されたシート状物をすぐに吸引手段によって吸引するにより、当該シート状物の断裁手段への取られを防止することができる。また、吸引することによって、シート状物を吸引手段に密着させながら搬送手段により搬送させることができるので、当該シート状物の挙動を抑えて安定して搬送させることができる。更に、吸引動作はシート状物に対してのみ行われ、吸引によるウェブへの影響がないので、ウェブの搬送が安定し、当該ウェブへの断裁を安定して行うことができる。
【発明を実施するための最良の形態】
【００１５】
以下、本発明に係るシーター装置を図面を用いて詳細に説明する。
【実施例１】
【００１６】
図１は本発明の第１実施例に係るシーター装置の全体概略構成図、図２は図１の要部拡大図、図３は図２の平面図である。
【００１７】
図１に示すように、図示しない巻紙輪転印刷機には、印刷後に乾燥冷却されたウェブＷを、所定の長さごとの枚葉紙（シート状物）Ｓに断裁して揃えて積むシーター装置１が設けられている。
【００１８】
シーター装置１の紙（ウェブ）搬送方向上流側には、搬送されるウェブＷを挟むように対向配置される上下一対のニッピングローラ１１ａ，１１ｂが回転可能に支持されている。ニッピングローラ１１ａ，１１ｂの紙搬送方向下流側には、搬送されるウェブＷの上方においてカッター胴（断裁胴）１２が回転可能に支持されると共に、その下方には固定台１３が設けられている。
【００１９】
図１及び図２に示すように、カッター胴１２の外周部には、その軸方向に配置される切刃１２ａがその周方向において等間隔（図では１８０度間隔）に設けられている。一方、固定台１３の上部には固定刃１３ａが設けられている。即ち、カッター胴１２が回転して、その切刃１２ａと固定台１３の固定刃１３ａとが対接することにより、搬送されるウェブＷを連続的に所定の長さごとに断裁して枚葉紙Ｓに形成させることができる。なお、カッター胴１２及び固定台１３は、断裁手段を構成するものである。
【００２０】
カッター胴１２の紙搬送方向下流側には、複数の上高速搬送ベルト１４が上高速駆動ローラ１５ａ，１５ｂ，１５ｃに架け回されている。一方、固定台１３の紙搬送方向下流側には、複数の下高速搬送ベルト１６が下高速駆動ローラ１７ａ，１７ｂ，１７ｃ及び吸引ローラ４１に架け回されている（図３参照）。そして、下側の上高速搬送ベルト１４の下面と上側の下高速搬送ベルト１６の上面とは対接しており、上高速駆動ローラ１５ａ，１５ｂ，１５ｃ、下高速駆動ローラ１７ａ，１７ｂ，１７ｃ、及び吸引ローラ４１が回転駆動することにより、枚葉紙Ｓはその対接した上高速搬送ベルト１４の下面と下高速搬送ベルト１６の上面との間に挟持されて搬送される。
【００２１】
また、上高速搬送ベルト１４の紙搬送方向下流側には上低速搬送装置１８が設けられており、この上低速搬送装置１８には当該上低速搬送装置１８により回転駆動される上低速搬送ローラ１９ａ，１９ｂが回転可能に支持されている。一方、下高速搬送ベルト１６の紙搬送方向下流側には、複数の下低速搬送ベルト２０が下低速駆動ローラ２１ａ，２１ｂ，２１ｃ，２１ｄ，２１ｅに架け回されている。そして、上低速搬送ローラ１９ａ，１９ｂの外周面と上側の下低速搬送ベルト２０の上面とは対接しており、上低速搬送ローラ１９ａ，１９ｂ及び下低速駆動ローラ２１ａ，２１ｂ，２１ｃ，２１ｄ，２１ｅが回転駆動することにより、枚葉紙Ｓはその対接した上低速搬送ローラ１９ａ，１９ｂの外周面と下低速駆動ローラ２１ａ，２１ｂ，２１ｃ，２１ｄ，２１ｅの上面との間に挟持されて搬送される。
【００２２】
なお、上高速駆動ローラ１５ａ，１５ｂ，１５ｃ、下高速駆動ローラ１７ａ，１７ｂ，１７ｃ、及び吸引ローラ４１の回転速度は、略同一の回転速度に設定されており、上低速搬送ローラ１９ａ，１９ｂ及び下低速駆動ローラ２１ａ，２１ｂ，２１ｃ，２１ｄ，２１ｅの回転速度も、略同一の回転速度に設定されている。更に、上高速搬送ローラ１５ａ，１５ｂ，１５ｃ、下高速駆動ローラ１７ａ，１７ｂ，１７ｃ、及び吸引ローラ４１の回転速度は、上低速搬送ローラ１９ａ，１９ｂ及び下低速駆動ローラ２１ａ，２１ｂ，２１ｃ，２１ｄ，２１ｅの回転速度よりも、高速になるように設定されている。
【００２３】
つまり、枚葉紙Ｓは、上高速搬送ベルト１４と下高速搬送ベルト１６との間において高速搬送された後、上低速搬送ローラ１９ａ，１９ｂと下低速搬送ベルト２０との間において低速搬送されることになる。また、上高速搬送ベルト１４、上高速駆動ローラ１５ａ，１５ｂ，１５ｃ、下高速搬送ベルト１６、下高速駆動ローラ１７ａ，１７ｂ，１７ｃ、上低速搬送装置１８、上低速搬送ローラ１９ａ，１９ｂ、下低速搬送ベルト２０、下低速駆動ローラ２１ａ，２１ｂ，２１ｃ，２１ｄ，２１ｅ、及び吸引ローラ４１は、搬送手段を構成するものである。
【００２４】
更に、上低速搬送装置１８の紙搬送方向下流側には、複数のガイドベルト２２が駆動ローラ２３ａ，２３ｂ，２３ｃに架け回されている。ガイドベルト２２の下方には紙積台２４が設けられており、この紙積台２４上には紙積み用の枠２５が搭載されている。
【００２５】
次に、図２及び図３を用いて吸引ローラ４１の支持構造について説明する。
【００２６】
図２及び図３に示すように、吸引ローラ４１は、軸受３２ａ，３２ｂを介してシーター装置１のフレーム３１ａ，３１ｂに回転可能に支持されている。吸引ローラ４１の一端には駆動歯車３３が設けられており、この駆動歯車３３には駆動モータの駆動により回転駆動される出力歯車３４が噛み合っている。一方、吸引ローラ４１の他端にはロータリジョイント３５を介して吸引装置３６が接続されている。
【００２７】
吸引ローラ４１の外周面には複数の溝部４１ａが全周に亘り形成されており、この溝部４１ａには下高速搬送ベルト１６が架け回されている。なお、図２に示すように、溝部４１ａの溝深さは、下高速搬送ベルト１６が架け回されたときに、当該下高速搬送ベルト１６の外面が吸引ローラ４１の外周面よりもその径方向内側に配置されるように形成されている。
【００２８】
また、吸引ローラ４１には、その中心軸と同軸上に配置される吸引通路４１ｂが形成されており、この吸引通路４１ｂの一端は、ロータリジョイント３５を介して吸引装置３６と連通している。そして、吸引ローラ４１の外周面には、その周方向において等間隔（図では９０度間隔）に開口する吸引口４１ｄが形成されており、この吸引口４１ｄには吸引通路４１ｂから放射状に延びる連通路４１ｃが連通している。なお、ロータリジョイント３５、吸引装置３６、及び吸引ローラ４１は、吸引手段を構成するものである。
【００２９】
即ち、駆動モータを駆動して、その回転を出力歯車３４を介して駆動歯車３３に伝達させることにより、吸引ローラ４１が回転すると共に、吸引装置３６を作動させることにより、吸引口４１ｄから連通路４１ｃ、吸引通路４１ｂ、及びロータリジョイント３５を介して、断裁された枚葉紙Ｓを吸引することができる。
【００３０】
従って、上述した構成をなすことにより、印刷後に冷却乾燥されたウェブＷは、一対のニッピングローラ１１ａ，１１ｂにより搬入される。そして、搬入されたウェブＷが回転駆動するカッター胴１２と固定台１３との間に搬送されると、当該ウェブＷは、カッター胴１２の切刃１２ａと固定台１３の固定刃１３ａとの協働により、所定の長さごとに断裁されて枚葉紙Ｓに形成される。次いで、この枚葉紙Ｓは、断裁されると同時に、その先端が上高速搬送ベルト１４と下高速搬送ベルト１６との間に挟持されて、当該上高速搬送ベルト１４及び下高速搬送ベルト１６の走行により高速搬送される。
【００３１】
このとき、吸引ローラ４１は、駆動モータの駆動により回転されると共に、吸引装置３６の作動により、切断された枚葉紙Ｓに対して、カッター胴１２が対向する面とは反対側の面における先端を、その吸引通路４１ｂ、連通路４１ｃ、吸引口４１ｄを介して吸引する。これにより、枚葉紙Ｓは、カッター胴１２が対向する面とは反対側の面が吸引ローラ４１の外周面に密着しながら、上高速搬送ベルト１４と下高速搬送ベルト１６との間に進入して高速搬送される。
【００３２】
この結果、枚葉紙Ｓの後端における、カッター胴１２への巻き上がりや貼り付き、即ち、胴取られが防止される。また、枚葉紙Ｓの紙尻をあおることがないので、当該枚葉紙Ｓが安定して高速搬送されると共に、この吸引動作が枚葉紙Ｓだけに作用して、ウェブＷに対して何ら影響することがないので、ウェブＷも安定して搬送されることになる。
【００３３】
そして、この高速搬送される枚葉紙Ｓは、上低速搬送ローラ１９ａ，１９ｂと下低速搬送ベルト２０との間に受け渡される。このように、枚葉紙Ｓが上低速搬送ローラ１９ａ，１９ｂと下低速搬送ベルト２０との間に挟持されると、当該枚葉紙Ｓは、上低速搬送ローラ１９ａ，１９ｂの回転駆動及び下低速搬送ベルト２０の走行により、低速搬送に切り替えられる。また、上述した枚葉紙Ｓの受け渡し時においては、上高速搬送ベルト１４と下高速搬送ベルト１６との間に挟持されて高速搬送される枚葉紙Ｓの先端は、上低速搬送ローラ１９ａ，１９ｂと下低速搬送ベルト２０との間に挟持されて低速搬送される先行の枚葉紙Ｓの後端の上に、部分的に重なった状態となる。
【００３４】
次いで、このように重なった状態の枚葉紙Ｓが上低速搬送ローラ１９ａ，１９ｂと下低速搬送ベルト２０との間から排出される。排出された枚葉紙Ｓは、走行するガイドベルト２２にガイドされながら下方に落ちて、紙積台２４上に配置される枠２５内に、順々に揃えられて収納される。
【００３５】
従って、本発明に係るシーター装置によれば、カッター胴１２の切刃１２ａと固定台１３の固定刃１３ａとの協働によりウェブＷを断裁して形成された枚葉紙Ｓを、下高速搬送ベルト１６が架け回される吸引ローラ４１において、当該吸引ローラ４１の吸引口４１ｄから吸引装置３６を用いて吸引することにより、枚葉紙Ｓのカッター胴１２への胴取られを防止することができる。
【００３６】
また、吸引ローラ４１の吸引口４１ｄを介して吸引することにより、枚葉紙Ｓにおけるカッター胴１２が対向する面とは反対側の面を吸引ローラ４１の外周面に密着させながら、当該枚葉紙Ｓを上高速搬送ベルト１４と下高速搬送ベルト１６との間に進入させることができる。これにより、枚葉紙Ｓをその挙動を抑えて安定して高速搬送させることができる。
【００３７】
更に、その吸引動作は、断裁された枚葉紙Ｓに対してのみ行われ、吸引によるウェブＷへの影響がないので、ウェブＷを安定して搬送させることができる。これにより、ウェブＷに対して一定の間隔で断裁することができるので、その断裁位置にばらつきが発生することがなく、常に所定の長さごとの枚葉紙Ｓを形成させることができる。
【実施例２】
【００３８】
図４は本発明の第２実施例に係るシーター装置の要部拡大図、図５は図４の平面図である。なお、第１実施例で示した部材と、同様の構造及び機能を有する部材については、同一の符号を付して重複する説明は省略する。
【００３９】
図４に示すように、図示しない巻紙輪転印刷機には、印刷後に乾燥冷却されたウェブＷを所定の長さごとの枚葉紙（シート状物）Ｓに断裁して揃えて積むシーター装置２が設けられている。
【００４０】
図４及び図５に示すように、上高速搬送ベルト１４には、複数の下高速搬送ベルト３７が対接している。下高速搬送ベルト３７は下高速駆動ローラ１７ａ，１７ｂ，１７ｃ及び下高速駆動ローラ３８に架け回されている。下高速搬送ベルト３７の幅方向中心部には、その長手方向に長径が配置される楕円形の複数のベルト孔３７ａがその長手方向に沿って形成されている。
【００４１】
下高速駆動ローラ３８は、軸受３２ａ，３２ｂを介してシーター装置２のフレーム３１ａ，３１ｂに回転可能に支持されている。下高速駆動ローラ３８の一端には駆動歯車３３が設けられており、この駆動歯車３３には駆動モータの駆動により回転駆動される出力歯車３４が噛み合っている。
【００４２】
また、下高速駆動ローラ３８の外周面には複数の溝部３８ａが全周に亘り形成されており、この溝部３８ａには下高速搬送ベルト３７が架け回されている。なお、溝部３８ａの溝深さは、下高速搬送ベルト３７が架け回されたときに、当該下高速搬送ベルト３７の外面が下高速駆動ローラ３８の外周面よりもその径方向内側に配置されるように形成されている。
【００４３】
なお、図５に示す下高速駆動ローラ３８の両外側の溝部３８ａに架け回される下高速搬送ベルト３７は省略してある。
【００４４】
即ち、下側の上高速搬送ベルト１４の下面と上側の下高速搬送ベルト３７の上面とは対接しており、上高速駆動ローラ１５ａ，１５ｂ，１５ｃ、下高速駆動ローラ１７ａ，１７ｂ，１７ｃ、及び下高速駆動ローラ３８が回転駆動することにより、枚葉紙Ｓはその対接した上高速搬送ベルト１４の下面と下高速搬送ベルト３７の上面との間に挟持されて搬送される。
【００４５】
なお、上高速駆動ローラ１５ａ，１５ｂ，１５ｃ、下高速駆動ローラ１７ａ，１７ｂ，１７ｃ、及び下高速駆動ローラ３８の回転速度は、略同一の回転速度に設定されており、当該回転速度は、上低速搬送ローラ１９ａ，１９ｂ及び下低速駆動ローラ２１ａ，２１ｂ，２１ｃ，２１ｄ，２１ｅの回転速度よりも、高速になるように設定されている。つまり、枚葉紙Ｓは、上高速搬送ベルト１４と下高速搬送ベルト１６との間において高速搬送された後、上低速搬送ローラ１９ａ，１９ｂと下低速搬送ベルト２０との間において低速搬送されることになる。
【００４６】
また、上高速搬送ベルト１４、上高速駆動ローラ１５ａ，１５ｂ，１５ｃ、下高速駆動ローラ１７ａ，１７ｂ，１７ｃ、上低速搬送装置１８、上低速搬送ローラ１９ａ，１９ｂ、下低速搬送ベルト２０、下低速駆動ローラ２１ａ，２１ｂ，２１ｃ，２１ｄ，２１ｅ、下高速搬送ベルト３７、及び下高速駆動ローラ３８は、搬送手段を構成するものである。
【００４７】
下高速駆動ローラ１７ａと下高速駆動ローラ３８との間における下高速搬送ベルト３７の下方には、吸引箱５１が設けられている。吸引箱５１は、紙搬送方向に沿って長く形成される中空状の箱型をなしている。
【００４８】
吸引箱５１の上部には、下高速ベルト３７が走行するときに、当該下高速ベルト３７が摺接する摺接面５１ａが形成されている。摺接面５１ａの幅方向中心部には、その長手方向に長径が配置される楕円形の複数の吸引口５１ｂがその長手方向に沿って形成されている。そして、吸引箱５１の中空部５１ｃには、吸引装置５２が接続されている。なお、吸引箱５１及び吸引装置５２は、吸引手段を構成するものである。
【００４９】
即ち、吸引装置５２を作動させることにより、吸引箱５１の中空部５１ｃ内の空気が吸引されて、当該中空部５１ｃ内が低圧状態となり、吸引箱５１の吸引口５１ｂとその摺接面５１ａ上において走行する下高速搬送ベルト３７のベルト孔３７ａとが面したときに、断裁された枚葉紙Ｓを吸引することができる。
【００５０】
従って、上述した構成をなすことにより、印刷後に冷却乾燥されたウェブＷは、一対のニッピングローラ１１ａ，１１ｂにより搬入される。そして、搬入されたウェブＷが回転駆動するカッター胴１２と固定台１３との間に搬送されると、当該ウェブＷは、カッター胴１２の切刃１２ａと固定台１３の固定刃１３ａとの協働により、所定の長さごとに断裁されて枚葉紙Ｓに形成される。次いで、この枚葉紙Ｓは、断裁されると同時に、その先端が上高速搬送ベルト１４と下高速搬送ベルト３７との間に挟持されて、当該上高速搬送ベルト１４及び下高速搬送ベルト３７の走行により高速搬送される。
【００５１】
このとき、下高速搬送ベルト３７は、枚葉紙Ｓを保持した状態で吸引箱５１の摺接面５１ａ上を走行する。一方、吸引箱５１は、吸引装置５２の作動により、切断された枚葉紙Ｓに対して、カッター胴１２が対向する面とは反対側の面における先端を、その吸引口５２ｂとその摺接面５１ａ上において走行する下高速搬送ベルト３７のベルト孔３７ａとが面するときに、吸引口５１ｂ及び中空部５１ｃを介して吸引する。これにより、枚葉紙Ｓは、カッター胴１２が対向する面とは反対側の面が下高速搬送ベルト３７の外面に密着しながら、上高速搬送ベルト１４と下高速搬送ベルト３７との間に進入して高速搬送される。
【００５２】
この結果、枚葉紙Ｓの後端における、カッター胴１２への巻き上がりや貼り付き、即ち、胴取られが防止される。また、枚葉紙Ｓの紙尻をあおることがないので、当該枚葉紙Ｓが安定して高速搬送されると共に、この吸引動作が枚葉紙Ｓだけに作用して、ウェブＷに対して何ら影響することがないので、ウェブＷも安定して搬送されることになる。
【００５３】
そして、この高速搬送される枚葉紙Ｓは、上低速搬送ローラ１９ａ，１９ｂと下低速搬送ベルト２０との間に受け渡される。このように、枚葉紙Ｓが上低速搬送ローラ１９ａ，１９ｂと下低速搬送ベルト２０との間に挟持されると、当該枚葉紙Ｓは、上低速搬送ローラ１９ａ，１９ｂの回転駆動及び下低速搬送ベルト２０の走行により、低速搬送に切り替えられる。また、上述した枚葉紙Ｓの受け渡し時においては、上高速搬送ベルト１４と下高速搬送ベルト３７との間に挟持されて高速搬送される枚葉紙Ｓの先端は、上低速搬送ローラ１９ａ，１９ｂと下低速搬送ベルト２０との間に挟持されて低速搬送される先行の枚葉紙Ｓの後端の上に、部分的に重なった状態となる。
【００５４】
次いで、このように重なった状態の枚葉紙Ｓが上低速搬送ローラ１９ａ，１９ｂと下低速搬送ベルト２０との間から排出される。排出された枚葉紙Ｓは、走行するガイドベルト２２にガイドされながら下方に落ちて、紙積台２４上に配置される枠２５内に、順々に揃えられて収納される。
【００５５】
従って、本発明に係るシーター装置によれば、カッター胴１２の切刃１２ａと固定台１３の固定刃１３ａとの協働によりウェブＷを断裁して形成された枚葉紙Ｓを、下高速搬送ベルト３７が走行する吸引箱５１の摺接面５１ａにおいて、その吸引口５２ｂと下高速搬送ベルト３７のベルト孔３７ａとが面するときに、当該吸引箱５１の吸引口５１ｂから吸引装置５２を用いて吸引することにより、枚葉紙Ｓのカッター胴１２への胴取られを防止することができる。
【００５６】
また、吸引箱５１の吸引口５１ｂを介して吸引することにより、枚葉紙Ｓにおけるカッター胴１２が対向する面とは反対側の面を下高速駆動ローラ３８の外周面に密着させながら、当該枚葉紙Ｓを上高速搬送ベルト１４と下高速搬送ベルト３７との間に進入させることができる。これにより、枚葉紙Ｓをその挙動を抑えて安定して高速搬送させることができる。
【００５７】
更に、その吸引動作は、断裁された枚葉紙Ｓに対してのみ行われ、吸引によるウェブＷへの影響がないので、ウェブＷを安定して搬送させることができる。これにより、ウェブＷに対して一定の間隔で断裁することができるので、その断裁位置にばらつきが発生することがなく、常に所定の長さごとの枚葉紙Ｓを形成させることができる。
【産業上の利用可能性】
【００５８】
本発明は、後続の断裁紙が前送出の断裁紙に衝突して紙詰りを起こすことなく排紙できる巻紙輪転印刷機の排紙機構に適用可能である。
【図面の簡単な説明】
【００５９】
【図１】本発明の第１実施例に係るシーター装置の全体概略構成図である。
【図２】図１の要部拡大図である。
【図３】図２の平面図である。
【図４】本発明の第２実施例に係るシーター装置の要部拡大図である。
【図５】図４の平面図である。
【符号の説明】
【００６０】
１，２      シーター装置
１１ａ，１１ｂ      ニッピングローラ
１２      カッター胴
１２ａ    切刃
１３      固定台
１３ａ    固定刃
１４      上高速搬送ベルト
１５ａ〜１５ｃ      上高速駆動ローラ
１６      下高速搬送ベルト
１７ａ〜１７ｃ      下高速駆動ローラ
１８      上低速搬送装置
１９ａ，１９ｂ      上低速搬送ローラ
２０      下低速搬送ベルト
２１ａ〜２１ｅ      下低速駆動ローラ
２２      ガイドベルト
２３ａ〜２３ｃ      駆動ローラ
２４      紙積台
２５      枠
３１ａ，３１ｂ      フレーム
３２ａ，３２ｂ      軸受
３３      駆動歯車
３４      出力歯車
３５      ロータリジョイント
３６      吸引装置
３７      下高速搬送ベルト
３７ａ    ベルト孔
３８      下高速搬送ベルト
３８ａ    溝部
４１      吸引ローラ
４１ａ    溝部
４１ｂ    吸引通路
４１ｃ    連通路
４１ｄ    吸引口
５１      吸引箱
５１ａ    摺接面
５１ｂ    吸引口
５１ｃ    中空部
５２      吸引装置
【図１】
2008264967.tif 000003
【図２】
2008264967.tif 000004
【図３】
2008264967.tif 000005
【図４】
2008264967.tif 000006
【図５】
2008264967.tif 000007
【手続補正書】
【提出日】平成20年3月24日(2008.3.24)
【手続補正１】
【補正対象書類名】特許請求の範囲
【補正対象項目名】全文
【補正方法】変更
【補正の内容】
【特許請求の範囲】
【請求項１】
搬送されるウェブを断裁してシート状物に形成する断裁手段と、
前記断裁手段により断裁されるシート状物を搬送する搬送手段と、
前記搬送手段の近傍に設けられ、前記搬送手段により搬送されるシート状物が前記搬送手段の方向に移動するように当該シート状物を吸引する吸引手段とを備える
ことを特徴とするシーター装置。
【請求項２】
請求項１に記載のシーター装置において、
前記断裁手段は、回転することにより搬送されるウェブを断裁してシート状物に形成する断裁胴を有し、
前記吸引手段は、シート状物に対して、前記断裁胴が対向する面とは反対側の面を吸引する
ことを特徴とするシーター装置。
【請求項３】
請求項１に記載のシーター装置において、
前記搬送手段は、シート状物を搬送するベルトと、前記ベルトを走行させるローラとを有し、
前記吸引手段は、前記ローラの外周面に形成される吸引口からシート状物を吸引する
ことを特徴とするシーター装置。
【請求項４】
請求項１に記載のシーター装置において、
前記搬送手段は、シート状物を搬送するベルトであって、
前記吸引手段は、前記ベルトが摺接する摺接面に形成される吸引口から前記ベルトのベルト孔を介してシート状物を吸引する
ことを特徴とするシーター装置。
【手続補正２】
【補正対象書類名】明細書
【補正対象項目名】００１１
【補正方法】変更
【補正の内容】
【００１１】
上記課題を解決する第２の発明に係るシーター装置は、
第１の発明に係るシーター装置において、
前記断裁手段は、回転することにより搬送されるウェブを断裁してシート状物に形成する断裁胴を有し、
前記吸引手段は、シート状物に対して、前記断裁胴が対向する面とは反対側の面を吸引する
ことを特徴とする。
【手続補正３】
【補正対象書類名】明細書
【補正対象項目名】００４５
【補正方法】変更
【補正の内容】
【００４５】
なお、上高速駆動ローラ１５ａ，１５ｂ，１５ｃ、下高速駆動ローラ１７ａ，１７ｂ，１７ｃ、及び下高速駆動ローラ３８の回転速度は、略同一の回転速度に設定されており、当該回転速度は、上低速搬送ローラ１９ａ，１９ｂ及び下低速駆動ローラ２１ａ，２１ｂ，２１ｃ，２１ｄ，２１ｅの回転速度よりも、高速になるように設定されている。つまり、枚葉紙Ｓは、上高速搬送ベルト１４と下高速搬送ベルト３７との間において高速搬送された後、上低速搬送ローラ１９ａ，１９ｂと下低速搬送ベルト２０との間において低速搬送されることになる。
【手続補正４】
【補正対象書類名】明細書
【補正対象項目名】００５５
【補正方法】変更
【補正の内容】
【００５５】
従って、本発明に係るシーター装置によれば、カッター胴１２の切刃１２ａと固定台１３の固定刃１３ａとの協働によりウェブＷを断裁して形成された枚葉紙Ｓを、下高速搬送ベルト３７が走行する吸引箱５１の摺接面５１ａにおいて、その吸引口５１ｂと下高速搬送ベルト３７のベルト孔３７ａとが面するときに、当該吸引箱５１の吸引口５１ｂから吸引装置５２を用いて吸引することにより、枚葉紙Ｓのカッター胴１２への胴取られを防止することができる。